(57)【要約】【課題】ストロボ本体に発光部が取り付けられ、発光部だけに距離センサを設けたストロボ装置において、被写体の距離を正確に測定できるものを提供することを目的とする。【解決手段】本発明のストロボ装置は、発光部（１０）を被写体（Ｔ）に向けてプリ発光した場合の反射光ならびに発光部（１０）をバウンス撮影用反射体（Ｘ）に向けてプリ発光した場合の反射光を測定する受光素子（６）を発光部（１０）に設け、受光素子（６）の検出に基づいて被写体（Ｔ）との距離（Ｌａ）とバウンス撮影用反射体（Ｘ）との距離（Ｌｂ）に基づいてストロボ本体（９）に対する発光部（１０）の適正な傾き角度（θ３）を決定して制御するよう構成するとともに、受光素子（６）の検出の指向性を、水平に対してストロボ本体（９）の側に傾けたことを特徴とする。【選択図】図１
2019045806.tif 000002
【特許請求の範囲】
【請求項１】
バウンス撮影時にストロボ本体に対する発光部の傾きが自動制御されるストロボ装置において、
前記発光部を被写体に向けてプリ発光した場合の反射光ならびに前記発光部をバウンス撮影用反射体に向けてプリ発光した場合の反射光を測定する測距ユニットを前記発光部に設け、
前記測距ユニットの検出に基づいて前記被写体との距離と前記バウンス撮影用反射体との距離に基づいて前記ストロボ本体に対する前記発光部の適正な傾き角度を決定して制御するよう構成するとともに、
前記発光部が前記被写体に向いた状態における前記測距ユニットの検出の指向性を、水平に対して前記ストロボ本体の側に傾けた、
ストロボ装置。
【請求項２】
前記測距ユニットが、
前記被写体からの反射光を検出する受光素子であることを特徴とする、
請求項１に記載のストロボ装置。
【請求項３】
前記測距ユニットが、
前記被写体からの反射光を検出する受光素子と、
前記受光素子へ入射する反射光の受光角度を制限する絞りを有していることを特徴とする、請求項１に記載のストロボ装置。
【請求項４】
前記測距ユニットが、
前記被写体からの反射光を検出する受光素子と、
前記受光素子へ入射する反射光の受光角度を制限する絞りと、
レンズ特性を有し前記受光素子へ入射する反射光の光路上に挿入された保護フィルタを有し、
前記保護フィルタのレンズ特性によって前記測距ユニットの検出の指向性を、水平に対して前記ストロボ本体の側に傾けたことを特徴とする、
請求項１に記載のストロボ装置。
【請求項５】
バウンス撮影時にストロボ本体に対する発光部の傾きが自動制御されるストロボ装置において、
前記発光部を被写体に向けてプリ発光した場合の反射光ならびに前記発光部をバウンス撮影用反射体に向けてプリ発光した場合の反射光を測定する測距ユニットを前記発光部に設け、
前記測距ユニットの検出に基づいて前記被写体との距離と前記バウンス撮影用反射体との距離に基づいて前記ストロボ本体に対する前記発光部の適正な傾き角度を決定して制御するよう構成するとともに、
前記発光部の照射範囲の中心の方向と前記測距ユニットの検出の指向性である睨み角の方向が異なっている、
ストロボ装置。
【発明の詳細な説明】
【技術分野】
【０００１】
本発明は、カメラに装着されてストロボ撮影の際に発光するストロボ装置に関するものである。
【背景技術】
【０００２】
カメラのアクセサリシューにストロボ装置を装着して、被写体をストロボ撮影する場合には、図７に示したストロボ本体９の正面中央３から出射された検出光が、被写体で反射して帰ってきた反射光を、ストロボ本体９の正面に配置した測距ユニット４によって検出し、これに基づいてストロボ装置２と被写体の距離を計算し、ストロボ本体９の上に連結されている発光部１０の撮影本番の光量が適正になるように発光制御されている。
【０００３】
または、ストロボ本体９から出射された前記検出光を使用せずに、発光部１０をプリ発光させた光が前記被写体で反射して帰ってきた反射光を、ストロボ本体９の正面に配置した測距ユニット４によって検出し、これに基づいてストロボ装置２と被写体の距離を計算し、撮影本番の発光部１０の光量が適正になるように発光制御されている。
【０００４】
ストロボ撮影では、上記のようにカメラとストロボ装置の発光部１０を被写体に正対させて撮影する直接撮影の他に、ストロボ本体９に対して発光部１０を直接に前記被写体に向けずに、発光部１０を反射体としての例えば天井面に向けてバウンス撮影する場合には、カメラと前記被写体の距離を測定するだけでなく、カメラとこれに取り付けたストロボ装置２の全部を、反射体の天井面に正対させてストロボ装置と天井面との距離を測定し、カメラと前記被写体の距離とストロボ装置２と天井面との距離に基づいて、ストロボ本体９に対する発光部１０の適正角度と撮影本番の発光部１０の光量が適正になるように発光制御されている。
【０００５】
また、特許文献１には、図８（ａ）に示すようにストロボ装置２の発光部１０を被写体Ｔに正対させて、発光部１０に設けた距離センサ１７によって被写体Ｔとの距離Ｌａを測定し、次に図８（ｂ）に示すように発光部１０を天井面Ｘに向けて発光部１０に設けた距離センサ１７によって天井面Ｘとの距離Ｌｂを測定する。図８（ｃ）に示すようにバウンス撮影の場合に、距離Ｌａと距離Ｌｂに基づいて、ストロボ本体９に対する発光部１０の角度θ３と撮影本番の発光部１０の光量が適正になるように発光制御されている。
【先行技術文献】
【特許文献】
【０００６】
【特許文献１】特開２０１４−３８２６８号公報
【発明の概要】
【発明が解決しようとする課題】
【０００７】
特許文献１のように発光部１０に設けた距離センサ１７によって距離を測定することによって、ストロボ本体９に距離測定用のセンサを設ける必要がなくなる。さらに、カメラ１とこれに取り付けたストロボ装置２の全部を、天井面Ｘに正対させなくてもストロボ装置２と天井面Ｘとの距離を測定できる。
【０００８】
しかし、この場合には、図８（ａ）に示すようにストロボ装置２の発光部１０を被写体Ｔに正対させて、発光部１０に設けた距離センサ１７によって被写体Ｔとの距離を測定する場合に、カメラの画角に対して被写体の位置と大きさによっては、カメラ１と被写体Ｔの距離Ｌａを正確に測定できない。
【０００９】
本発明は被写体との距離を測定するセンサを、ストロボ本体とこのストロボ本体に取り付けられた発光部のうちの発光部だけに設けた場合であっても、カメラと被写体の距離を正確に測定できるストロボ装置を提供することを目的とする。
【課題を解決するための手段】
【００１０】
本発明のストロボ装置は、バウンス撮影時にストロボ本体に対する発光部の傾きが自動制御されるストロボ装置において、前記発光部を被写体に向けてプリ発光した場合の反射光ならびに前記発光部をバウンス撮影用反射体に向けてプリ発光した場合の反射光を測定する測距ユニットを前記発光部に設け、前記測距ユニットの検出に基づいて前記被写体との距離と前記バウンス撮影用反射体との距離に基づいて前記ストロボ本体に対する前記発光部の適正な傾き角度を決定して制御するよう構成するとともに、前記発光部が前記被写体に向いた状態における前記測距ユニットの検出の指向性を、水平に対して前記ストロボ本体の側に傾けた、ことを特徴とする。
【発明の効果】
【００１１】
この構成によると、発光部が被写体に向いた状態における測距ユニットの検出の指向性を、水平に対してストロボ本体の側に傾けたため、測距ユニットの検出の指向性が水平の場合に比べて、測距ユニットのセンサ範囲内における被写体の面積の割合を大きくすることができ、カメラと被写体の距離を正確に測定できる。
【図面の簡単な説明】
【００１２】
【図１】本発明の実施の形態１のストロボ装置における発光部の要部の拡大断面図
【図２】（ａ）同実施の形態のストロボ装置の外観斜視図と（ｂ）別の実施の形態の発光部の正面図
【図３】同実施の形態のストロボ装置による（ａ）被写体との距離Ｌａを測定中の説明図と（ｂ）その時の横位置画面における検出光の照射位置を示す図と（ｃ）その時の縦位置画面における検出光の照射位置を示す図
【図４】測距センサの検出指向性が水平である比較例のストロボ装置における発光部の要部の拡大断面図
【図５】比較例のストロボ装置による（ａ）被写体との距離Ｌａを測定中の説明図と（ｂ）その時の横位置画面における検出光の照射位置を示す図
【図６】（ａ）縦位置撮影の説明図と（ｂ）その時の縦位置画面における検出光の照射位置を示す図
【図７】ストロボ本体に受光素子を設けた一般的なストロボ装置の外観斜視図
【図８】発光部に距離センサを設けた一般的なストロボ装置による（ａ）被写体との距離Ｌａを測定中の説明図と（ｂ）天井面との距離Ｌｂを測定中の説明図と（ｃ）バウンス撮影状態の説明図
【発明を実施するための形態】
【００１３】
以下、本発明の実施の形態を図１〜図６に基づいて説明する。
【００１４】
図１〜図３は本発明の実施の形態１を示す。図４〜図６は比較例を示す。
【００１５】
先ず、実施の形態のストロボ装置をカメラのアクセサリシューに装着して、図３（ａ）に示したようにカメラを横構図で構えた姿勢で、被写体をストロボ撮影する場合を説明する。
【００１６】
この実施の形態のストロボ装置２は、図２（ａ）に示すようにストロボ本体９の上に発光部１０が設けられている。発光部１０には、受光窓５が設けられている。発光部１０の内部には図１に示すように測距ユニットを構成する受光素子６が設けられている。受光素子６は、発光部１０のプリ発光した検出光が被写体側から反射した光が、受光窓５から入射し、保護フィルタ７と絞り８を通過して受光素子６の受光部１１に入射する。なお、基本的な実施の形態では、保護フィルタ７は通過する光を屈折させるレンズ特性を備えていない。
【００１７】
受光素子６自体は、指向性が水平になるよう発光部１０に配置されているが、絞り８と受光素子６で構成されている測距ユニットの睨み角の方向１５の角度θ４が、水平位置から下向きになるように受光素子６に対する絞り８の位置と大きさが設定されている。発光部１０から見て下向きとは、ストロボ本体９に近付く方向である。
【００１８】
これに対して図４に示した比較例では、絞り８と受光素子６で構成されている測距ユニットの睨み角度が、水平位置になるように受光素子６に対する絞り８の位置と大きさが設定されている点だけが、実施の形態とは異なっている。
【００１９】
この比較例のように測距ユニットの睨み角度が水平位置である図５（ａ）（ｂ）の場合には、横構図でカメラ１を構えた状態では、発光部１０を図５（ａ）に仮想線で示すように９０°上方に向けてストロボ装置２の発光部１０をプリ発光させて、バウンス撮影用反射体としての天井面Ｘとの距離を測定する際に距離Ｌｂを正確に測定できても、図５（ａ）に実線で示すように被写体Ｔに正対させ、ストロボ装置２の発光部１０をプリ発光させて被写体Ｔとの距離を測定する際には、発光部１０のプリ発光の検出光が被写体Ｔよりも被写体Ｔの背景の壁面１２で反射する頻度が高い。Ｐはこのストロボ装置２の睨み位置である。つまり、受光素子６のセンサ範囲内における被写体Ｔの面積の割合が小さい。
【００２０】
このように比較例の場合、被写体Ｔとの距離の測定の際に誤差Ｌｄが発生しやすいため、ストロボ装置２はバウンス撮影の際の発光部１０の角度を適正角度に自動制御できない頻度が高い。
【００２１】
更にこの比較例では、図６（ａ）に示すようにカメラ１を９０°回転させた状態で構えた縦構図に変更して図５（ａ）の被写体Ｔを撮影する場合でも、図６（ｂ）に示すようにストロボ装置２の睨み位置Ｐが被写体Ｔから外れた壁面１２になる頻度が高く、縦構図でカメラ１を構えた状態でもバウンス撮影する際に発光部１０の角度を適正角度に自動制御できない頻度が高い。
【００２２】
これに対して、実施の形態を示した図１の絞り８の位置が、図４に示した受光素子６に対する絞り８の位置（仮想線８Ｊの位置）に比べて、ストロボ本体９により近付いた位置、つまり、発光部１０が被写体Ｔに向いた状態における測距ユニットの検出の指向性を水平に対してストロボ本体９の側に傾けて設定されているため、横構図でカメラ１を構えた状態と縦構図でカメラ１を構えた状態の何れにおいても天井面Ｘとの距離を測定する際には、比較例と同じように距離Ｌｂを正確に測定できる。さらに、図３（ａ）（ｂ）に示すように横構図でカメラ１を構えた状態では、ストロボ装置２の睨み位置Ｐが、ストロボ本体９の側、つまり、横位置画面の下側方向に位置しているため、ストロボ装置２の発光部１０のプリ発光の検出光が被写体Ｔの背景の壁面１２で反射するよりも被写体Ｔで反射すると頻度が高く、図５（ｂ）に比べて被写体Ｔに一致する頻度が高く、被写体Ｔとの距離Ｌａを正確に測定できる。そのため、被写体Ｔとの距離Ｌａを正確に測定できる。また、縦構図に変更して図５（ａ）の被写体Ｔを撮影する場合にも、この実施の形態の場合には、図３（ｃ）に示すようにストロボ装置２の睨み位置Ｐが、図６（ｂ）の場合と比べてストロボ本体９の側、つまり、縦位置画面の内側方向に位置しているため、被写体Ｔに一致する頻度が高く、被写体Ｔとの距離Ｌａを正確に測定できる。
【００２３】
このように実施の形態の場合には、横構図でカメラ１を構えた状態と縦構図でカメラ１を構えた状態の何れにおいても、距離Ｌａと距離Ｌｂを正確に測定できる頻度が高いため、バウンス撮影する際に横構図と縦構図の何れの場合においても、発光部１０の角度を適正角度に自動制御できる頻度を比較例に較べて高めることができる。
【００２４】
なお、図１〜図３に示した実施の形態では、測距ユニットは受光素子６と絞り８とで構成し、受光素子６自体の指向性が水平になるよう受光素子６を発光部１０に配置したが、発光部１０が被写体Ｔに向いた状態における受光素子６自体の指向性が下向き、つまり水平に対してストロボ本体９の側に傾けて発光部１０に取り付けて構成することもできる。この場合には測距ユニットの前記絞り８を不要にできる。
【００２５】
なお、図１〜図３に示した実施の形態では、測距ユニットは受光素子６と絞り８とで構成し、受光素子６自体の指向性が水平になるよう受光素子６を発光部１０に配置したが、受光素子６と絞り８の構成が比較例と同じで、保護フィルタ７のレンズ特性を調節して測距ユニットの睨み位置Ｐをストロボ本体９の側に傾けて、図３（ａ）（ｂ）と同様の効果を得ることができる。受光素子６へ入射する反射光の光路上に挿入された保護フィルタ７の挿入位置は、絞り８と受光素子６の間に変更することもできる。
【００２６】
上記の各実施の形態では、発光部１０の光出射窓１３（図２（ａ）参照）の右上に受光窓５を設けたが、受光窓５の位置はこれに限定されない。光出射窓１３の周囲の左上、または光出射窓１３周囲の下側の仮想線で示す何れかの位置などの、光出射窓１３の周囲の何れかの場所に受光窓５を設けることができる。
【００２７】
なお、図４に示した比較例のように絞り８と受光素子６で構成されている測距ユニットの睨み角度が水平位置に設定した場合とは、図３のような撮影形態で見た場合には、発光部１０の照射範囲の中心の方向１４と測距ユニットの睨み角の方向１５が共に水平で同じである。このような見方をした場合、上記の各実施の形態の構成は、発光部１０の照射範囲の中心の方向１４と測距ユニットの睨み角の方向１５が異なっている、と表現することもできる。
【産業上の利用可能性】
【００２８】
本発明は、バウンス撮影を自動化したカメラの高性能化に寄与できる。
【符号の説明】
【００２９】
１    カメラ
２    ストロボ装置
５    受光窓
６    受光素子
７    保護フィルタ
８    絞り
９    ストロボ本体
１０    発光部
１１    受光素子６の受光部
１２    壁面
Ｌａ    被写体Ｔの距離
Ｌｂ    天井面Ｘとの距離
Ｐ    睨み位置
Ｔ    被写体
θ４    水平位置からの下向きの睨み角度
Ｘ    天井面（バウンス撮影用反射体）
【図１】
2019045806.tif 000003
【図２】
2019045806.tif 000004
【図３】
2019045806.tif 000005
【図４】
2019045806.tif 000006
【図５】
2019045806.tif 000007
【図６】
2019045806.tif 000008
【図７】
2019045806.tif 000009
【図８】
2019045806.tif 000010